(57)【要約】【目的】本発明は建築、構築物に使用する乾式壁材の下端部に形成する、流水機能を付加した壁の下端部構造に関するものである。【構成】垂直平面状の固定部１と、固定部１の下端を外方に傾斜して垂下した傾斜面２と、傾斜面２の下端を外方かつ上方に傾斜して突出した傾斜化粧面４と、傾斜化粧面４の先端を上方に突出した化粧面５とから形成し、傾斜面２と傾斜化粧面４の下端に一定間隔で形成した流水孔７と、固定面１、傾斜面２、傾斜化粧面３と化粧面５とから空間８を形成した長尺状のスタータＡを使用し、スタータＡの空間８に乾式壁材Ｂの木口Ｂ１を挿入して形成した壁の下端部構造である。【選択図】図１
2008190228.tif 000002
【特許請求の範囲】
【請求項１】
垂直平面状の固定部と、該固定部の下端を外方に傾斜して垂下した傾斜面と、該傾斜面の下端を外方かつ上方に傾斜して突出した傾斜化粧面と、該傾斜化粧面の先端を上方に突出した化粧面とから形成し、傾斜面と傾斜化粧面の下端に一定間隔で形成した流水孔と、固定面、傾斜面、傾斜化粧面と化粧面とから空間を形成した長尺状のスタータを使用し、該スタータの空間に乾式壁材の木口を挿入して形成したことを特徴とする壁の下端部構造。
【発明の詳細な説明】
【技術分野】
【０００１】
本発明は建築、構築物に使用する乾式壁材の下端部に形成する、流水機能を付加した壁の下端部構造に関するものである。
【背景技術】
【０００２】
従来から使用されている乾式壁材の下端部をカバーする構造としては、乾式壁材と水切りとの間に空間を形成し、水切りに貫通孔を形成して、雨水を外部に排出するものであった。（特許文献１、２参照）。
【０００３】
【特許文献１】実用新案登録３０１２２８９号
【特許文献２】特許登録３３５８４７４号
【発明の開示】
【発明が解決しようとする課題】
【０００４】
しかしながら、芯材として合成樹脂発泡体を使用した乾式壁材を用いた場合には、水切り内部に浸入した雨水が跳ね上がり、乾式壁材端部木口の合成樹脂発泡体に接触し、水分が合成樹脂発泡体内に浸透してしまい、表面材の鉄板の錆発生、合成樹脂発泡体の腐食、濡れ雑巾化による断熱性の低下防止、等の悪影響を与える危険性があった。
【課題を解決するための手段】
【０００５】
本発明はこのような欠点を除去するため、垂直平面状の固定部と、固定部の下端を外方に傾斜して垂下した傾斜面と、傾斜面の下端を外方かつ上方に傾斜して突出した傾斜化粧面と、傾斜化粧面の先端を上方に突出した化粧面とから形成し、傾斜面と傾斜化粧面の下端に一定間隔で形成した流水孔と、固定面、傾斜面、傾斜化粧面と化粧面とから空間を形成した長尺状のスタータを使用し、スタータの空間に乾式壁材の木口を挿入して形成した壁の下端部構造を提供するものである。
【発明の効果】
【０００６】
本発明に係る壁の下端部構造によれば、（１）流水孔が内部に浸入した雨水を速やかに外部に排出する。（２）傾斜面、傾斜化粧面を形成したために、乾式壁材の木口が内部に浸入した雨水と接触せず、乾式壁材の芯材が合成樹脂発泡体である場合に、合成樹脂発泡体の腐食防止、濡れ雑巾化による断熱性の低下防止、壁下地の腐食防止、乾式壁材の強度低下防止に有効である。等の特徴、効果がある。
【発明を実施するための最良の形態】
【０００７】
以下に図面を用いて本発明に係る壁の下端部構造の一実施例について詳細に説明する。すなわち、図１は本発明に係る壁の下端部構造の施工状態を示す断面図、図２（ａ）〜（ｃ）は本発明に係る壁の下端部構造を示す断面図と一部切り欠き斜視図である。また、図３は乾式壁材Ｂの断面図、図４は水切りＣの断面図、図５は雨水Ｒの流れを示す説明図である。
【０００８】
スタータＡは図２（ａ）〜（ｃ）に示すように、垂直平面状の固定部１と、固定部１の下端を外方に傾斜して垂下した傾斜面２と、傾斜面２の下端を外方に突出した底面３と、底面３の先端を、外方かつ上方に傾斜して突出した傾斜化粧面４と、傾斜化粧面４の先端を上方に突出した化粧面５と、化粧面５の先端を内方に折り返した舌片６とから形成し、図では底面３に一定間隔で形成した流水孔７と、固定面１、傾斜面２、底面３、傾斜化粧面４と化粧面５とから空間８を形成したものである。
【０００９】
固定部１はスタータＡを壁下地αに固定具βにより固定する部分である。
【００１０】
傾斜面２は、スタータＡに空間８を形成し、図１に示すように乾式壁材Ｂの木口Ｂ１とスタータＡ間に空間８を形成することにより、図５に矢印で示すように雨水Ｒが浸入した場合に、雨水Ｒが乾式壁材Ｂの木口Ｂ１に接触せず、木口Ｂ１が濡れることが無いようにしたものである。
【００１１】
底面３は、傾斜面２と傾斜化粧面４の下端部分に形成し、主に流水孔７の形成場所として機能すると共に、内部に浸入した雨水Ｒを、スムーズに流水孔７より外部に排出するために形成した部分である。
【００１２】
傾斜化粧面４は、内部に浸入した雨水Ｒを、スムーズに流水孔７より外部に排出するために形成した傾斜部分であると共に、傾斜することにより、乾式壁材Ｂの凹部１４を垂下した雨水Ｒが跳ね返って木口Ｂ１の芯材１０が濡れるのを防止するものである。このため、芯材１０が吸水することによる腐食、濡れ雑巾化による断熱性の低下、壁下地αの腐食、乾式壁材Ｂの強度低下を防止できるものである。
【００１３】
化粧面５は、乾式壁材Ｂの下端部の木口Ｂ１部分を覆い、乾式壁材Ｂの下端部分が外部に露出するのを防止する部分である。
【００１４】
舌片６は、金属製板材により形成されたスタータＡの端部により怪我をしないように形成した部分である。
【００１５】
流水孔７は、底面３に一定ピッチで形成し、乾式壁材ＢとスタータＡの化粧面５間より浸入した雨水Ｒを外部に排出するためのものである。また、流水孔７の形成ピッチＰは３０〜３００ｍｍ位である。
【００１６】
その素材としては、金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種を押出成形、ロール成形、プレス成形、等によって各種形状に成形したものである。
【００１７】
乾式壁材Ｂは図３に示すように表面材９と裏面材１１間に芯材１０を形成し、表面材９の化粧面１２に、凸部１３、凹部１４を形成し、上下端に雌型連結部１５と雄型連結部１６を形成し、雄型連結部１６内にパッキン１７を形成したものであり、固定具βの打設と、雌型連結部１５と雄型連結部１６を嵌合することにより乾式壁材Ｂを連結するものである。勿論、スタータＡは、図では縦張りの乾式壁材Ｂに使用しているが、横張りの乾式壁材Ｂにも使用できるものである。
【００１８】
表面材９、裏面材１１は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形、押出−乾燥−焼成、等して各種任意形状に形成したものである。
【００１９】
芯材１０は例えばポリウレタンフォーム、ポリイソシアヌレートフォーム、フェノールフォーム、塩化ビニルフォーム、ポリエチレンフォーム、ポリスチレンフォーム、ユリアフォーム、等の合成樹脂発泡体からなるものであり、例えばレゾール型フェノールの原液と、硬化剤、発泡剤を混合し、表面材９、もしくは裏面材１１の裏面側に吐出させ、加熱して反応・発泡・硬化させて形成したものである。また、芯材１０中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、防火性を向上させることもできる。
【００２０】
さらに詳説すると、芯材１０は主に断熱材、防火材、接着剤、補強材、緩衝材、吸音材、嵩上材、軽量化材、等として機能するものである。勿論、芯材１０としてロックウール、グラスウール、セラミックウール等の無機材を使用しても良いものである。
【００２１】
次に、本発明に係る壁の下端部構造の施工順序について図１を用いて説明する。まず、基礎γ部分に、図４に示すような長尺状の水切りＣを固定具βを介して固定する。
【００２２】
次に図２（ａ）〜（ｃ）に示すようなスタータＡを、固定部１を固定具βにより打設し、基礎γ部分の水切りＣ上の壁下地αに連続状で複数本固定する。次に、図３に示すような乾式壁材Ｂを縦に順次連結すると共に、下端の木口Ｂ１を空間８内に挿入して縦に、固定具βを介して固定し、施工を完了するものである。
【００２３】
勿論、出隅、入隅、開口部（窓、ドア、等）、軒、等には各種役物を使用するものである。
【００２４】
以上説明したのは本発明に係る壁の下端部構造の一実施例にすぎず、図６〜図８（ａ）〜（ｃ）に示すように形成することもできる。
【００２５】
図６は１階と２階等の中間部に本発明に係る壁の下端部構造を施工した状態を示す断面図であり、Ｄはバックアップ材、Ｅはパッキング材である。図７は窓上に本発明に係る壁の下端部構造を施工した状態を示す断面図である。
【００２６】
図８（ａ）〜（ｃ）は本発明に係る壁の下端部構造に使用するスタータのその他の実施例を示す説明図である。
【図面の簡単な説明】
【００２７】
【図１】本発明に係る壁の下端部構造の施工状態を示す説明図である。
【図２】本発明に係る壁の下端部構造に使用するスタータの一実施例を示す説明図である。
【図３】本発明に係る壁の下端部構造に使用する乾式壁材を示す断面図である。
【図４】本発明に係る壁の下端部構造に使用する水切りを示す断面図である。
【図５】本発明に係る壁の下端部構造の施工状態を示す説明図である。
【図６】本発明に係る壁の下端部構造のその他の施工例を示す説明図である。
【図７】本発明に係る壁の下端部構造のその他の施工例を示す説明図である。
【図８】本発明に係る壁の下端部構造に使用するスタータのその他の実施例を示す説明図である。
【符号の説明】
【００２８】
Ａ  スタータ
Ｂ  乾式壁材
Ｂ１  木口
Ｃ  水切り
Ｄ  バックアップ材
Ｅ  パッキング材
Ｒ  雨水
α  壁下地
β  固定具
γ  基礎
１  固定部
２  傾斜面
３  底面
４  傾斜化粧面
５  化粧面
６  舌片
７  流水孔
８  空間
９  表面材
１０  芯材
１１  裏面材
１２  化粧面
１３  凸部
１４  凹部
１５  雌型連結部
１６  雄型連結部
１７  パッキン
【図１】
2008190228.tif 000003
【図２】
2008190228.tif 000004
【図３】
2008190228.tif 000005
【図４】
2008190228.tif 000006
【図５】
2008190228.tif 000007
【図６】
2008190228.tif 000008
【図７】
2008190228.tif 000009
【図８】
2008190228.tif 000010